(57)【要約】本発明は、データの出力制御方法であり、コンテンツデータとともに少なくともコンテンツデータのコンテンツを識別する識別情報が記録された記録媒体から読み出されてコンテンツデータが出力されるたびにコンテンツデータとともに読み出された識別情報を保持し、保持された識別情報が所定の条件を満足するか否かによって記録媒体から読み出されたコンテンツデータの出力を制御する。具体的には、保持されているコンテンツデータの識別情報と媒体識別情報の個数に基づいてコンテンツデータの出力を制御する。
2002080172.tif 000002
【特許請求の範囲】
【請求項１】
コンテンツデータとともに少なくとも上記コンテンツデータのコンテンツを識別する識別情報が記録された記録媒体を走査するヘッドと、
上記ヘッドからの出力信号に信号処理を施し、コンテンツデータを再生する再生処理部と、
上記ヘッドからの出力信号から上記識別情報を抽出する識別情報抽出部と、
上記識別情報抽出部によって抽出された上記識別情報が所定の条件を満足するか否かによって上記再生処理部からの出力を制御する出力制御部をとを備えている記録媒体の再生装置。
【請求項２】
上記出力制御部は、上記識別情報抽出部によって抽出された上記識別情報を上記コンテンツデータが上記装置から出力されるたびに保持する記憶部を備え、上記出力制御部は上記記憶部に記憶されている上記識別情報の個数に基づいて上記再生処理部からの上記コンテンツデータの出力する請求の範囲第１項記載の記録媒体の再生装置。
【請求項３】
上記出力制御部は、上記記憶部に記憶されている上記識別情報の個数が所定個数になったときには上記再生処理部からの上記コンテンツデータの出力を禁止する請求の範囲第２項記載の記録媒体の再生装置。
【請求項４】
上記出力制御部は、上記記憶部に記憶されている上記識別情報の個数が所定の個数より小さいときには上記再生処理部からの上記コンテンツデータの出力を許可する請求の範囲第２項記載の記録媒体の再生装置。
【請求項５】
上記出力制御部は、更に制御部と上記制御部によって切り換え制御される切換部とを備え、上記切換部は、上記記憶部に記憶されている上記識別情報の個数に基づいて上記切換部を切り換え制御する請求の範囲第２項記載の記録媒体の再生装置。
【請求項６】
上記装置は、更に、上記再生処理部からの上記コンテンツデータが供給される外部機器の認証を行う認証部を備え、上記出力制御部は、上記認証部によって上記外部機器の認証が正しく行えた場合に、上記記憶部に記憶されている上記識別情報の個数に基づいて上記再生処理部からの上記コンテンツデータの出力を制御する請求の範囲第１項記載の記録媒体の再生装置。
【請求項７】
上記記録媒体には更に記録媒体固有の媒体識別情報が記録されており、上記出力制御部は、上記記憶部に上記識別情報と上記ヘッドによって読み出された上記媒体識別情報とを組みにして記憶させる請求の範囲第２項記載の記録媒体の再生装置。
【請求項８】
上記出力制御部は、上記記憶部に記憶されている上記識別情報と上記媒体識別情報の個数に基づいて上記再生処理部からの上記コンテンツデータの出力を制御する請求の範囲第７項記載の記録媒体の再生装置。
【請求項９】
上記出力制御部は、上記記憶部に記憶されている上記識別情報と上記媒体識別情報との個数が所定の個数になったときには、上記再生処理部からの上記コンテンツデータの出力を禁止する請求の範囲第８項記載の記録媒体の再生装置。
【請求項１０】
上記出力制御部は、上記記憶部に記憶されている上記識別情報と上記媒体識別情報との個数が所定の個数より小さいときには上記再生処理部からの上記コンテンツデータの出力を許可する請求の範囲第８項記載の記録媒体の再生装置。
【請求項１１】
コンテンツデータとともに少なくとも上記コンテンツデータのコンテンツを識別する識別情報が記録された記録媒体から読み出されたコンテンツデータが出力されるたびに上記コンテンツデータとともに読み出された上記識別情報を保持し、
上記保持された上記識別情報が所定の条件を満足するか否かによって上記記録媒体から読み出されたコンテンツデータの出力を制御するデータの出力制御方法。
【請求項１２】
上記方法は、上記保持されている上記識別情報の個数に基づいて上記コンテンツデータの出力を制御する請求の範囲第１１項記載のデータの出力制御方法。
【請求項１３】
上記方法は、上記保持されている上記識別情報の個数が所定の個数になったときには上記コンテンツデータの出力を禁止する請求の範囲第１２項記載のデータの出力制御方法。
【請求項１４】
上記方法は、上記保持されている上記識別情報の個数が所定の個数より小さいときには上記コンテンツデータの出力を許可する請求の範囲第１２項記載のデータの出力制御方法。
【請求項１５】
上記方法は、更に上記コンテンツデータを出力する際に上記コンテンツデータが供給される外部機器の認証処理を行い、上記認証処理によって上記外部機器が正しく行えた場合に上記保持されている上記識別情報の個数に基づいて上記コンテンツデータの出力を制御する請求の範囲第１１項記載のデータの出力制御方法。
【請求項１６】
上記記録媒体には更に記録媒体固有の媒体識別情報が記録されており、上記方法は、上記識別情報と上記記録媒体から読み出された上記媒体識別情報とを組みにして保持する請求の範囲第１１項記載のデータの出力制御方法。
【請求項１７】
上記方法は、上記保持されている上記識別情報と上記媒体識別情報の個数に基づいて上記コンテンツデータの出力を制御する請求の範囲第１６項記載のデータの出力制御方法。
【請求項１８】
上記方法は、上記保持されている上記識別情報と上記媒体識別情報との個数が所定の個数になったときには上記コンテンツデータの出力を禁止する請求の範囲第１７項記載のデータの出力制御方法。
【請求項１９】
上記方法は、上記保持されている上記識別情報と上記媒体識別情報との個数が所定の個数より小さいときには上記コンテンツデータの出力を許可する請求の範囲第１７項記載のデータの出力制御方法。
【請求項２０】
供給されたコンテンツデータに記録するための信号処理を施す記録処理部と、
上記記録処理部から供給された出力データを記録媒体に記録するヘッドと、
上記コンテンツデータとともに供給され上記コンテンツデータにコンテンツを識別する識別情報が所定の条件を満足するか否かによって上記記録処理部に上記コンテンツデータを供給するか否かを制御する供給制御部とを備えている記録媒体の記録装置。
【請求項２１】
上記供給制御部は、上記コンテンツデータを上記記録処理部に供給するたびに上記識別情報を保持する記憶部を備え、上記制御部は、上記記憶部に記憶されている上記識別情報の個数に基づいて上記記録処理部への上記コンテンツデータの供給を制御する請求の範囲第２０項記載の記録媒体の記録装置。
【請求項２２】
上記供給制御部は、上記記憶部に記憶されている上記識別情報の個数が所定個数になったときには上記記録処理部への上記コンテンツデータの供給を禁止する請求の範囲第２１項記載の記録媒体の記録装置。
【請求項２３】
上記供給制御部は、上記記憶部に記憶されている上記識別情報の個数が所定の個数より小さいときには上記記録処理部への上記コンテンツデータの供給を許可する請求の範囲第２１項記載の記録媒体の記録装置。
【請求項２４】
上記供給制御部は、更に制御部と上記制御部によって切り換え制御される切換部とを備え、上記切換部は、上記記憶部に記憶されている上記識別情報の個数に基づいて上記切換部を切り換え制御する請求の範囲第２１項記載の記録媒体の記録装置。
【請求項２５】
上記記録媒体には更に記録媒体固有の媒体識別情報が記録されており、上記供給制御部は、上記記憶部に上記識別情報と上記記録媒体から読み出された上記媒体識別情報とを組みにして記憶させる請求の範囲第２１項記載の記録媒体の記録装置。
【請求項２６】
上記供給制御部は、上記記憶部に記憶されている上記識別情報と上記媒体識別情報の個数に基づいて上記記録処理部への上記コンテンツデータの供給を制御する請求の範囲第２５項記載の記録媒体の記録装置。
【請求項２７】
上記供給制御部は、上記記憶部に記憶されている上記識別情報と上記媒体識別情報との個数が所定の個数になったときには、上記記録処理部への上記コンテンツデータの供給を禁止する請求の範囲第２６項記載の記録媒体の記録装置。
【請求項２８】
上記供給制御部は、上記記憶部に記憶されている上記識別情報と上記媒体識別情報との個数が所定の個数より小さいときには上記記録処理部への上記コンテンツデータの供給を許可する請求の範囲第２６項記載の記録媒体の記録装置。
【請求項２９】
コンテンツデータとともに少なくとも上記コンテンツデータの固有の識別情報が記録された記録媒体から読み出されたコンテンツデータが出力されるたびに上記コンテンツデータとともに読み出された上記識別情報を保持し、
上記コンテンツデータを出力する際に、保持されている上記出力するコンテンツデータの識別情報が所定の条件を満足するか否かによってコンテンツデータの出力を制御するデータの出力制御方法。
【請求項３０】
上記方法は、上記保持されている上記識別情報の個数に基づいて上記コンテンツデータの出力を制御する請求の範囲第２９項記載のデータの出力制御方法。
【請求項３１】
上記方法は、上記保持されている上記識別情報の個数が所定の個数になったときには上記コンテンツデータの出力を禁止する請求の範囲第３０項記載のデータの出力制御方法。
【請求項３２】
上記方法は、上記保持されている上記識別情報の個数が所定の個数より小さいときには上記コンテンツデータの出力を許可する請求の範囲第３０項記載のデータの出力制御方法。
【請求項３３】
上記方法は、更に上記コンテンツデータを出力する際に上記コンテンツデータが供給される外部機器の認証処理を行い、上記認証処理によって上記外部機器が正しく行えた場合に上記保持されている上記識別情報の個数に基づいて上記コンテンツデータの出力を制御する請求の範囲第２９項記載のデータの出力制御方法。
【請求項３４】
上記記録媒体には更に記録媒体固有の媒体識別情報が記録されており、上記方法は、上記識別情報と上記記録媒体から読み出された上記媒体識別情報とを組みにして保持する請求の範囲第２９項記載のデータの出力制御方法。
【請求項３５】
上記方法は、上記保持されている上記識別情報と上記媒体識別情報の個数に基づいて上記コンテンツデータの出力を制御する請求の範囲第３４項記載のデータの出力制御方法。
【請求項３６】
上記方法は、上記保持されている上記識別情報と上記媒体識別情報との個数が所定の個数になったときには上記コンテンツデータの出力を禁止する請求の範囲第３５項記載のデータの出力制御方法。
【請求項３７】
上記方法は、上記保持されている上記識別情報と上記媒体識別情報との個数が所定の個数より小さいときには上記コンテンツデータの出力を許可する請求の範囲第３５項記載のデータの出力制御方法。
【発明の詳細な説明】
技術分野
本発明は、記録媒体の記録又は再生装置並びにデータの出力制御方法に関する。特に、コンテンツデータが記録されている又は記録される記録媒体の記録又は再生装置並びにデータの出力制御方法に関する。
背景技術
光ディスク等のディジタル記録媒体の記憶容量の大容量化とこの種の記録媒体の普及により、記録媒体に記録されている信号の著作権を保護するための不正なコピーの防止策が必要となる。即ち、ディジタルオーディオデータやディジタルビデオデータの場合には、ディジタルデータ又はディジタル信号のままでコピー或いはダビングによりデータの劣化のない複製物を容易に生成できる。コンピュータ等のデータ処理装置において取り扱われるデータにあっては、元のデータと同一のデータが容易にコピーできるため、既に不正コピーによる著作権の侵害等の弊害が生じてきているのが実情である。
このようなことから、ディジタル記録媒体に記録されている信号を再生したディジタル信号を再び他のディジタル記録媒体に記録するいわゆるディジタルダビングにおける前記不正コピーの防止を目的として、オリジナルのディジタル記録媒体に不正コピー防止のための所定のコピー禁止を示すデータを記録しているものがある。
例えば、いわゆるＲ−ＤＡＴ（Ｒｏｔａｒｙ  ｈｅａｄ  Ｄｉｇｉｔａｌ  Ｔａｐｅｒｅｃｏｄｅｒ）と称されるディジタルオーディオ信号記録再生装置において用いられている不正コピー防止のための方式としては、ディジタル記録媒体としてのディジタルオーディオテープ上に記録されるディジタルオーディオ信号のメインデータエリアに、ディジタルコピーの禁止や段階的な世代コピーを禁止するいわゆる世代制限するための禁止コード（ＳＣＭＳ：Ｓｅｒｉａｌ  Ｃｏｐｙ  Ｍａｎａｇｅｍｅｎｔ  Ｓｙｓｔｅｍ）を記録しておく。記録時に、ディジタルオーディオ信号記録装置がこの禁止コードを検出したときに、新たなディジタルオーディオテープ上へのコピーしようとしているディジタルオーディオ信号のコピー記録を禁止するような方式が採用されている。
ディジタル記録媒体に記録されている信号を再生したディジタル信号を再びディジタル記録媒体に記録するダビングシステムにおいては、ディジタル記録媒体上のコンテンツのコピー個数を制限するコピー個数制限を用いて著作権を保護しているものもある。
ところで、ディジタル記録媒体上のコンテンツのコピー個数の制限を、コンテンツのみの識別情報で行うようにした場合、同一コンテンツを記録したオリジナルのディジタル記録媒体を複数所有していても、コンテンツのコピー個数に応じた個数しかコピーできなくなる。即ち、同一コンテンツが供給された記録装置側では、既に同一コンテンツの記録が行われたことが記憶され、いずれの記録媒体から供給されたコンテンツであるかを識別することができないため、一のコンテンツで許容される以上のコピーを行うことができない。
従来のコピー管理システムは、ディジタル記録媒体を再生する再生装置側においてコンテンツデータの出力を制御するものではなかったので、確実にコンテンツデータの不正コピーを禁止するシステムを構築することが困難であった。
発明の開示
本発明の目的は、記録媒体に記録されたコンテンツデータの確実な保護を図ることができる記録媒体の記録又は再生装置並びにデータの出力制御方法を提供することにある。
本発明の他の目的は、記録媒体に記録されたコンテンツデータの不正コピーを確実に規制することができ、適正に記録媒体を入手したユーザの利益を損なうことなくコンテンツデータのコピーを可能とする記録媒体の記録又は再生装置並びにデータの出力制御方法を提供することにある。
本発明の更に他の目的は、コンテンツデータを記録した記録媒体を再生するに当たり、再生されたコンテンツデータの装置外部への出力を制御することにより、記録媒体に記録されたコンテンツデータが記録機側に制限なく供給されてしまうことこと防止し、一層確実に不正コピーから保護するようにした記録媒体の記録又は再生装置並びにデータの出力制御方法を提供することにある。
上述のような目的を達成するために提案される本発明は、記録媒体の再生装置であり、コンテンツデータとともに少なくともコンテンツデータのコンテンツを識別する識別情報が記録された記録媒体を走査するヘッドと、このヘッドからの出力信号に信号処理を施し、コンテンツデータを再生する再生処理部と、ヘッドからの出力信号から識別情報を抽出する識別情報抽出部と、識別情報抽出部によって抽出された識別情報が所定の条件を満足するか否かによって再生処理部からの出力を制御する出力制御部をとを備えている。
出力制御部は、識別情報抽出部によって抽出された識別情報をコンテンツデータが上記装置から出力されるたびに保持する記憶部を備え、この出力制御部は記憶部に記憶されている識別情報の個数に基づいて再生処理部からのコンテンツデータの出力する。
本発明に係る再生装置は、更に、再生処理部からのコンテンツデータが供給される外部機器の認証を行う認証部を備え、出力制御部は、認証部によって外部機器の認証が正しく行えた場合に、記憶部に記憶されている識別情報の個数に基づいて再生処理部からのコンテンツデータの出力を制御する。
本発明は、データの出力制御方法であり、コンテンツデータとともに少なくともコンテンツデータのコンテンツを識別する識別情報が記録された記録媒体から読み出されたコンテンツデータが出力されるたびにコンテンツデータとともに読み出された識別情報を保持し、保持された識別情報が所定の条件を満足するか否かによって記録媒体から読み出されたコンテンツデータの出力を制御する。
本発明に係るデータの出力制御方法は、更にコンテンツデータを出力する際にコンテンツデータが供給される外部機器の認証処理を行い、認証処理によって外部機器が正しく行えた場合に保持されている識別情報の個数に基づいてコンテンツデータの出力を制御する。
本発明に係るデータの出力制御方法に用いられる記記録媒体には更に記録媒体固有の媒体識別情報が記録されており、コンテンツデータのコンテンツを識別する識別情報と記録媒体から読み出された媒体識別情報とを組みにして保持する。
本発明は、記録媒体の記録装置であり、供給されたコンテンツデータに記録のための信号処理を施す記録処理部と、記録処理部から供給された出力データを記録媒体に記録するヘッドと、コンテンツデータとともに供給されコンテンツデータにコンテンツを識別する識別情報が所定の条件を満足するか否かによって記録処理部にコンテンツデータを供給するか否かを制御する供給制御部とを備えている。供給制御部は、コンテンツデータを記録処理部に供給するたびに識別情報を保持する記憶部を備える。供給制御部は、記憶部に記憶されている識別情報の個数に基づいて記録処理部へのコンテンツデータの供給を制御する。
供給制御部は、更に制御部と制御部によって切り換え制御される切換部とを備え、切換部は、記憶部に記憶されている識別情報の個数に基づいて切換部を切り換え制御する。
本発明は、更にデータの出力制御方法であり、コンテンツデータとともに少なくともコンテンツデータの固有の識別情報が記録された記録媒体から読み出されたコンテンツデータが出力されるたびにコンテンツデータとともに読み出された識別情報を保持し、コンテンツデータを出力する際に、保持されている出力されるコンテンツデータの識別情報が所定の条件を満足するか否かによってコンテンツデータの出力を制御する。
本発明の更に他の目的、本発明によって得られる具体的な利点は、以下において図面を参照して説明される実施の形態の説明から一層明らかにされるであろう。
発明を実施するための最良の形態
まず、本発明に係る第１の実施の形態を図面を参照して説明する。
本発明に係る記録媒体の再生装置及びデータの出力制御方法が適用されたオーディオデータ再生装置を図１を参照して説明する。
このオーディオデータ再生装置１０は、図１に示すように、ディジタル記録媒体としての光ディスク１から読み出された信号から音楽コンテンツデータ再生し、出力するコンテンツ出力部１１と、光ディスク１から読み出された信号に基づくコンテンツデータとしてのコンテンツを特定するための第１の識別情報を光ディスク１から読み出された信号中から抽出し読み取る識別情報読み取り部１５と、この識別情報読み取り部１５から出力された第１の識別情報を少なくとも記憶するＲＡＭ１８とを備えている。
このオーディオデータ再生装置１０は、光ディスク１を、例えば線速度一定で回転させるスピンドルモータ１９と、回転された光ディスク１から記録信号を読み出す光ピックアップ２０と、スピンドルモータ１９の回転制御及び光ピックアップ２０の光ディスク１に対するフォーカスサーボ、トラッキングサーボを実行させるサーボ回路２１とを備えている。光ピックアップ２０は、図示しない送り機構によって光ディスク１の半径方向に移動され、光ディスク１にレーザ光を照射することによって光ディスク１を走査し、光ディスク１に記録されているコンテンツデータ、即ち記録データを読み出す。
このオーディオ再生装置１０は、ＲＡＭ１８に記憶されている第１の識別情報の個数を基にコンテンツ出力部１１からのコンテンツデータをディジタルデータのまま出力するか否かの制御処理を実行するＣＰＵ２２と、コンテンツ出力部１１がディジタルデータとしてのコンテンツを出力する相手先を認証する相手先認証部２３と、この相手先認証部２３を介してコンテンツ出力部１１から供給されるコンテンツデータをＣＰＵ２２により、即ち、認証部２３からの認証結果に基づく制御信号によって切り換える切換部２４と、切換部２４から供給されるコンテンツデータを外部の機器、即ち認証部２３によって認証された相手先となる電子機器に供給するためのディジタル出力端子２５とを備える。ここで、相手先となる電子機器とは、記録可能な光ディスク、ハードディスク等の磁気ディスクや半導体メモリを記録媒体として用い、出力端子２５から出力されるコンテンツデータを少なくとも記録媒体に記録することのできる機能を備えた装置を言う。
このオーディオ再生装置１０は、コンテンツ出力部１１からのディジタルデータとしてのコンテンツデータをアナログ信号に変換するＤ／Ａ変換器２６と、このＤ／Ａ変換器２６からのアナログ信号出力を外部の機器に供給するためのアナログ出力端子２７とを備える。このアナログ出力端子２７からのアナログ信号が供給される機器とは、上述した記録媒体を用いる装置以外に、アンプ、スピーカ等が例示される。
コンテンツ出力部１１は、ＲＦアンプ１２と復調回路１３とエラー訂正復号回路１４とから構成されている。出力部１１は、光ディスク１から光ピックアップ２０によって読み出された信号、即ち光ピックアップ２０からの出力信号をＲＦアンプ１２で増幅し、ＲＦアンプ１２からの出力信号としてのＲＦ信号に復調回路１３で復調処理を施し、復調回路１３からの出力データにエラー訂正復号回路１４で復号処理を施してコンテンツデータを出力する。
ＲＦアンプ１２は、光ピックアップ２０からの出力信号を２値化し、この２値化された信号を復調回路１３に送る。ＲＦアンプ１２は、ＲＦ信号から同期信号を分離し、更に光ピックアップ２０からの出力信号に基づいてトラッキングエラー信号やフォーカスエラー信号等を生成してサーボ回路２１に送る。
復調回路１３は、ＲＦアンプ１２から供給されたＲＦ信号に光ディスク１にコンテンツデータを記録するときに施された変調に対応する復調を行う処理、例えば光ディスク１から読み出された信号を２値化した１６チャンネルビットを光ディスク１に記録する前の８ビットのデータに変換する処理を施す。復調回路１３からの出力データとしてのディジタルデータは、エラー訂正復号回路１４に送られる。
エラー訂正復号回路１４は、復調回路１３から出力される出力データに光ディスク１にコンテンツデータを記録するときに施された誤り訂正符号化処理によって施された誤り訂正符号により誤りの検出と訂正処理を行う。エラー訂正復号回路１４から出力されたコンテンツデータとしてのディジタルデータは、相手先認証部２３及びＤ／Ａ変換器２６に供給される。
識別情報読み取り部１５は、光ピックアップ２０により光ディスク１から読み出された信号からコンテンツデータとしての光ディスク１に記録されたコンテンツを特定するための第１の識別情報を抽出し読み取り、又は解読する。第１の識別情報としては、オーディオデータ再生装置１０が再生するコンテンツの対象を音楽コンテンツとしているので、インターナショナルスタンダードリコーディングコード（Ｉｎｔｅｒｎａｔｉｏｎａｌ  Ｓｔａｎｄａｒｄ  Ｒｅｃｏｒｄｉｎｇ  Ｃｏｄｅ：ＩＳＲＣ）が用いられる。このＩＳＲＣにより、光ディスク１にコンテンツデータとして記録されているコンテンツとしての音楽コンテンツの各タイトルが一意に決まる。
ＲＡＭ１８は、識別情報読み取り部１５で読み取られた第１の識別情報としてのＩＳＲＣデータをＣＰＵ２２の制御の基に記憶する。
光ピックアップ２０は、レーザダイオード等の光ビームの光源、コリメータレンズ、対物レンズ、偏光ビームスプリッタ、フォーカスエラー信号生成用に用いられるシリンドリカルレンズなどの光学部品と、フォトダイオードよりなる光検出器を備えている。光ピックアップ２０は、レーザダイオードから出射された光ビームとしてのレーザ光を対物レンズにより光ディスク１の信号記録面上に合焦させ、光ディスク１の信号記録面からの戻り光を偏光ビームスプリッタによって光源から出射されたレーザ光と分離し、分離された戻り光を光検出器によって検出する。光ピックアップ２０の光検出器からの検出出力信号が光ディスク１の読み取り信号としてＲＦアンプ１２に供給される。
サーボ回路２１は、ＲＦアンプ１２から供給された同期信号や、ＲＦアンプ１２で生成されたトラッキングエラー信号、フォーカスエラー信号等に基づいてスピンドルモータ１９の回転制御及び光ピックアップ２０のトラッキングサーボ、フォーカスサーボ等を行う。なお、光ピックアップ２０は、図示はしないが、対物レンズをその光軸と平行な方向のフォーカス方向と対物レンズの光軸と直交する平面方向のトラッキング方向に駆動するアクチュエータを備えている。このアクチュエータにはフォーカスエラー信号及びトラッキングエラー信号に基づくフォーカス、トラッキングの各サーボ信号が供給されることにより、対物レンズをフォーカス方向及びトラッキング方向に駆動させるフォーカス及びトラッキングの各サーボが実行される。
相手先認証部２３は、コンテンツ出力部１１がディジタルデータのままコンテンツデータを出力する相手先を認証する。具体的には、ディジタル出力端子２５を介して接続される外部機器が記録機であるのか否かを認証し、その認証結果をＣＰＵ２２に供給する。例えば、ＩＥＥＥ１３９４規格に基づいて、認証部２３は出力端子２５に接続されている外部機器が前述したように記録媒体を用いる記録機能を有する装置、即ち記録機であるか否かの認証を行う。ＣＰＵ２２は、認証部２３によって出力端子２５に接続される外部の機器としての記録機の認証が正しく行うことができなかったときには出力端子２５からディジタルデータとしてのコンテンツのデータの出力を禁止する。
ＣＰＵ２２は、例えばマイクロコンピュータから構成され、相手先認証部２３からの認証結果が記録機を示すものであるとき、識別情報読み取り部１５が読み取った第１の識別情報としてのＩＳＲＣデータをＲＡＭ１８に記憶させる。ＲＡＭ１８には、光ディスク１から読み出された信号に基づくコンテンツデータを記録機に記録又は出力する、即ちコピーする動作を実行する毎にＩＳＲＣデータが蓄積される。ＣＰＵ２２は、ＲＡＭ１８が記憶しているＩＳＲＣデータの個数を基に、コンテンツ出力部１１から出力されるコンテンツデータを記録機で記録、即ちコピーする際に切換部２４の切換処理を制御して、コンテンツ出力部１１からのコンテンツデータの出力を制御する。
特に、ＣＰＵ２２は、ＩＳＲＣデータがＲＡＭ１８に所定個数記憶されたとき、切換部２４をオフとして、コンテンツ出力部１１からのコンテンツデータの出力を禁止する。このとき、再生装置１０に設けられた図示しない表示部にユーザによって指定されたコンテンツのコピーができないことを示す表示を行い、ユーザに告知する。ＣＰＵ２２は、ＩＳＲＣデータがＲＡＭ１８に所定個数記憶されていないときには、切換部２４をオンにして、コンテンツ出力部１１からのコンテンツデータをディジタル出力端子２５を介して外部機器としての記録機に供給する。但し、この場合は、認証部２３によって出力端子２５に接続される外部の機器としての記録機の認証が正しく行われた場合にコンテンツデータが記録機に供給される。出力端子２５からコンテンツデータを出力すると同時に、ＲＡＭ１８の４ビットのコピー個数を示すデータが”１”だけカウントアップするようにＣＰＵ２２によって書き換えられる。
図１に示したオーディオデータ再生装置１０は、光ディスク１から読み出された信号に基づくコンテンツデータを記録機でコピーする際、第１の識別情報、即ちＩＳＲＣデータのＲＡＭ１８への記憶個数が、所定個数となったか否かをＣＰＵ２２で判断し、その判断結果に基づいてコピー個数が制限される。
このように、各光ディスク毎に記録されたコンテンツデータに対応して付されるＩＳＲＣデータに基づいてコピー個数の制御が行われ、例えば、コンテンツデータをディジタルデータの状態でコピーを３個まで許可されている場合にには、ＲＡＭ１８にＩＳＲＣデータが３個になるまでコピー、即ちダビングを行うことができる。
以上のように、本発明では、オーディオデータ再生装置１０を用いることにより、記録機で実行されたコピーの個数の管理を行う手法ではなく、再生機側でコンテンツデータのコピー個数の管理行っているので、許可されたコピー個数以上にコンテンツデータを出力することが制御されるので、多数のコンテンツデータが記録機側に供給されコピーされることを確実に防止できる。
なお、図１に示すオーディオデータ再生装置１０は、本発明に係るデータの出力制御方法を装置として実行するものである。即ち、オーディオデータ再生装置１０は、上述したように、光ディスク１に記録されたコンテンツデータを再生し、光ディスク１から読み出された信号に基づくコンテンツデータを記録機に記録又は出力する毎、識別情報読み取り部１５が読み取ったＩＳＲＣデータをＲＡＭ１８に記憶する。装置１０は、ＲＡＭ１８が記憶しているＩＳＲＣデータの個数が予め定められた個数になると、コンテンツ出力部１１からのコンテンツデータの出力が禁止すように動作する。従って、装置１０は、ＲＡＭ１８が記憶しているＩＳＲＣデータの個数が予め定められた個数より小さいときには、予め定められた所定の個数になるまで、コンテンツ出力部１１からコンテンツデータを出力する。
更に、図１に示すオーディオデータ再生装置１０は、上述したように、ディジタル出力端子２５を介して接続される外部機器が記録機であるのか否かを認証する。認証部２３によって出力端子２５に接続される外部の機器としての記録機の認証が正しく行うことができなかったときには、出力端子２５からディジタルデータとしてのコンテンツのデータの出力を禁止するように動作する。このように、再生装置１０から出力されるコンテンツデータの個数が制御され、更に識別出力端子２５に接続される記録機の認証が行われることを条件にコンテンツデータの出力が制御されることにより、無用なコンテンツデータの出力が制限され、確実にコピーの管理を行いコンテンツデータの不正なコピーを一層確実に規制することができる。
次に、本発明の第２の実施の形態となるオーディオデータ再生装置３０を図２を参照して説明する。
図２に示すオーディオデータ再生装置３０も、光ディスク１ａから読み出された信号から音楽コンテンツデータを再生して出力する。再生装置３０としての構成は、図１に示したオーディオデータ再生装置１０とほぼ同様であるが、識別情報読み取り部の構成を異にする。図１に示したオーディオデータ再生装置１０と共通する部分については、同一の符号を付して詳細な説明は省略する。
すなわち、図２に示したオーディオデータ再生装置３０は、識別情報読み取り部３１として、図１に示した識別情報読み取り部１５と同様に光ピックアップ２０により光ディスク１ａから読み出された信号からコンテンツデータとして光ディスク１ａに記録されたコンテンツを特定するためのＩＳＲＣデータを読み取るＩＳＲＣ読み取り部１５と、光ディスク１ａを個体として、即ち光ディスク１ａをそれぞれ識別するための第２の識別情報である、個体識別情報（Ｕｎｉｑｕｅ  ＩＤｅｎｔｉｆｉｃａｔｉｏｎ：ＵＩＤ、以下ＵＩＤデータという。）を読み取るＵＩＤ読み取り部３２とを備えている。ここで用いられる光ディスク１ａは、コンテンツを特定するためのＩＳＲＣデータを共通しながら、ＵＩＤデータを異にすることにより、異なるコンテンツデータとして取り扱われる。
このオーディオデータ再生装置３０が再生する光ディスク１ａは、例えば、図３に示すように、内周側の記録領域と外周側の記録領域４２の２つの記録領域を有する。内周側の記録領域４１は、所謂コンパクトディスクと互換性を有するフォーマットで音楽コンテンツに関するデータが記録されている。この内周側の記録領域４１に記録されたデータは、音楽コンテンツに関するデータ以外に、所謂ＣＤ−ＲＯＭディスクと互換性を有するフォーマットでテキストデータ等のデータが記録されてもよい。外周側の記録領域４２は、内周側の記録領域４１より記録密度が高くなるようにデータが記録されている。例えば、内周側の記録領域４１が記録トラックのトラックピッチをコンパクトディスクと同様に１．６μｍとしたとき、外周側の記録領域４２のトラックピッチを１．６μｍより狭くして、外周側の記録領域４２の記録密度を高くしている。この外周側の記録領域４２には、暗号化されたコンテンツデータ、例えば音楽データや再生専用の再生装置で読み出すことのできるＵＲＬ等のデータが記録される。
光ディスク１ａの内周側の記録領域４１の更に内周側に上述したＵＩＤデータが記録されるリードイン領域４３が設けられている。例えば、光ディスク１ａを構成する反射層の材料としてアルミニウムに所定の金属を混ぜた材料を用い、この反射層に光ディスク１ａに記録されている信号を読み出す際のレーザ光の出力レベルより十分に高いレーザ光を照射することによって光ディスク１ａにＵＩＤデータが記録される。ＵＩＤデータの記録方法については、ＤＶＤ（Ｄｉｇｉｔａｌ  Ｖｅｒｓａｔｉｌｅ  Ｄｉｓｃ）で用いられているようなＹＡＧレーザを用いて記録されるＢＣＡ方式であってもよい。
本発明においてオーディオデータが再生される光ディスク１ａは、図３に示したものに限定されるのではなく、ＵＩＤデータの記録場所もリードイン領域に限定されるものではない。ＵＩＤデータは、光ディスク１ａのリードイン領域４３に光ピックアップ２０を移動させ、光ディスク１ａからＵＩＤデータを読み出す。読み出されたＵＩＤデータは、ＵＩＤ読み取り部に供給される。ＵＩＤ読み取り部３２は、光ピックアップ２０から供給された信号のＵＩＤデータを抽出し、解読する。読み取られたＵＩＤデータは、読み取り部１５から出力されるＩＳＲＣと組み合わされ、ＣＰＵ２２を経由してＲＡＭ１８に記憶される。図４には、ＲＡＭ１８に記録される、１コンテンツ当たりのＵＩＤデータとＩＳＲＣデータのデータフォーマットの具体例を示す。前述したように、音楽コンテンツの場合、ＩＳＲＣデータにより各タイトルが一意に決まるので、それとＵＩＤデータを組み合わせて、ＲＡＭ１８に書き込まれ管理される。
ＲＡＭ１８上では、コピー個数を示すのに４ビットを、ＵＩＤデータに１２８ビットを、ＩＳＲＣデータに６０ビットを各々割り当てる。コピー個数制限が１個のシステムでは個数を示す４ビットは不要であるが、コピー個数の制限が３個まで５個までというシステムでは、個数を示す４ビットが必要になる。
図４に示す例では、１コンテンツ当たり１９２ビットとなり、図４に示すようなデータ構成で例えば５０００曲分の識別情報組を入れるようにするには、ＲＡＭ１８は、１Ｍビットの記憶容量のＲＡＭが必要となる。
次に、図２に示すオーディオデータ再生装置３０の動作について説明する。以下の説明は、ユーザによるコンテンツの指定を伴ったコピー要求に対する再生装置３０の動作である。ディジタル出力端子２５には、前出したように記録媒体に対する記録機能を有する記録機が外部機器として接続されている。
ユーザによってコンテンツデータのコピー要求が入力されると、ＣＰＵ２２は、先ず、スピンドルモータ１９により光ディスク１ａを例えば線速度一定となるように所定回転数で回転させる。このときに光ピックアップ２０により光ディスク１ａのリードイン領域４３から読み出されたＵＩＤデータ及び該当コンテンツのＩＳＲＣデータを含む信号が識別情報読み取り部３１を構成するＩＳＲＣ読み取り部１５とＵＩＤ読み取り部３２に各々供給され、各読み取り部１５，３２からＩＳＲＣデータとＵＩＤデータがＣＰＵ２２に供給される。ＣＰＵ２２は、図４に示すデータフォーマットに従ってＲＡＭ１８にＩＳＲＣデータとＵＩＤデータを書き込む。
このとき、コンテンツ出力部１１は、光ピックアップ２０からの出力信号をＲＦアンプ１２で２値化し、２値化された信号さらに復調回路１３で復調し、復調されたデータ、エラー訂正復号回路１４でエラー訂正処理してコンテンツデータとしてのディジタルデータを相手先認証部２３を介して切換部２４に送る。相手先認証部２３は、例えばＩＥＥＥ１３９４の規格に基づいてディジタル出力端子２５に接続されている外部機器が前述したように記録媒体への記録機能を有する装置であるか否かを認証し、その認証結果をＣＰＵ２２に供給する。ＣＰＵ２２は、認証部２３から供給される認証結果に基づいて切換部２４の切り換え制御を行う。例えば、ＣＰＵ２２は、認証部２３によって出力端子２５に接続される外部機器がＩＥＥＥ１３９４の規格を満足する記録機であると正しく認証できなかったときには切換部２４をオフとするように制御し、正しく認証できたときには、切換部２４をオンとするように制御する。
ＣＰＵ２２は、ユーザにより指定されたコンテンツに関するＩＳＲＣデータと光ディスク１ａのＵＩＤデータの組み合わせ（図４に示したフォーマット）をＲＡＭ１８に読みにいき、４ビットのコピー個数を確認し、この４尾とのコピー個数を示すデータにより、ユーザにより指定されたコンテンツが、既に所定個数コピーに達したか否かがＣＰＵ２２で判断される。
ここで、指定されたコンテンツに対応する４ビットのコピー個数を示すデータが既にコピー目的で所定個数出力されたものである、即ち、所定の個数を示すデータがあったときには、ＣＰＵ２２は切換部２４をオフにする。例えば、コンテンツデータが３回まで許可されている場合であったときに、４ビットのコピー個数を示すデータが既に３回を示すデータであったときには、ＣＰＵ２２は切換部２４をオフにする。よって、コンテンツ出力部１１から供給されるコンテンツのデータはディジタル出力端子２５から出力されることはない。このとき、ユーザには、再生装置３０に設けられている図示しない表示部にコピーが不可能であることを示す表示を行う。
一方、ＣＰＵ２２によるＲＡＭ１８に記憶されている４ビットのコピーの個数を示すデータの判別により、指定されたコンテンツが未だ所定個数コピー目的で出力されていない、即ち、４ビットのコピーの個数を示すデータが所定の個数を示すデータとなっていないと判別されると、切換部２４をオンにすると同時に、ＲＡＭ１８に記憶されいるユーザによって指定されたコンテンツデータに対応する４ビットのコピー個数を示すデータ”１”だけカウントアップするように書き換える。よって、コンテンツ出力部１１から供給されるディジタルデータとしてのコンテンツデータはディジタル出力端子２５に供給される。但し、この場合も、前述したオーディオデータ再生装置１０と同様に、コンテンツデータを出力する前に認証部２３によって出力端子２５に接続される記録機の認証が行えたときのみ出力端子２５からコンテンツデータが出力される。
しかしながら、上述した４ビットのコピー個数を示すデータが所定の個数を示すデータであるのか否かにかかわらず、Ｄ／Ａ変換器２６でアナログ信号に変換されたコンテンツのアナログ信号はアナログ出力端子２７から外部の機器に出力される。
なお、このオーディオデータ再生装置３０は、ＵＩＤデータが異なれば、ＩＳＲＣデータが同じでも、装置３０に装着された光ディスク１ａは、別の光ディスクであると扱われる。この場合ＵＩＤデータのない光ディスク、例えば現在市販されているようなコンパクトディスクが装置３０に装着された場合、ＵＩＤデータをオール”０”として扱う。
上述したように、図２に示したオーディオデータ再生装置３０は、ＩＳＲＣデータとＵＩＤデータのＲＡＭ１８への記憶個数、即ち、図４中の４ビットのコピー個数を示すデータが所定個数を示すデータとなったか否かをＣＰＵ２２により判別してコピー動作を制御しているので、１のコンテンツデータに許容されたコピー個数ととこのコンテンツデータを記録した光ディスク１ａの枚数との関係でコンテンツデータのコピーが制御される。即ち、同一コンテンツを記録した光ディスク１ａを複数所有するユーザは、光ディスク１ａの所有枚数に応じて同一コンテンツデータの許容コピー個数のコピーを実行することが可能となる。
以上のように、本発明では、オーディオデータ再生装置３０を用いることにより、記録機側でコンテンツデータのコピーの個数の管理を行うので、再生機側でコンテンツデータのコピーの可能個数の管理可能としている。したがって、コンテンツデータがディジタルデータの状態で無制限に再生機から出力され、且つ記録機側に無制限にコンテンツデータがディジタルデータの状態で供給されることが防止できるので、コンテンツデータの不正コピーを一層確実に防止することが可能となる。
ユーザにとっては、同一のコンテンツデータを記録した光ディスク１ａを複数枚所有するような場合には、その所有枚数に応じたコンテンツデータのコピー個数が得られるので、光ディスク１ａの所有に応じた利点を確実に得ることがきる。
次に、本発明の第３の実施の形態となるオーディオデータ記録装置５０を図５を参照して説明する。
このオーディオデータ記録装置５０は、記録機側でコンテンツデータのコピー個数を制限する。記録装置５０は、再生用光ディスクから読み出された、例えばＩＥＥＥ１３９４の規格接続ケーブルを介して供給されコンテンツデータを他のデータ記録媒体、例えば記録用光ディスク６１に記録するコンテンツ記録部５５と、コンテンツを特定するためのＩＳＲＣデータと再生用光ディスクを個体として他の再生専用の光ディスクと識別するためのＵＩＤデータを記憶するＲＡＭ５３と、ＲＡＭ５３が記憶しているＩＳＲＣデータとＵＩＤデータの個数を基にコンテンツ記録部５５のコンテンツ記録を制御するＣＰＵ５２とを備える。ここで用いられる記録用光ディスク６１としては、有機色素を用いた追記型光ディスク、光磁気ディスク又は相変化型の光ディスクのいずれの記録可能な光ディスクであってもよい。
図示しない光ディスクから再生されたコンテンツデータとＩＳＲＣデータとＵＩＤデータのうち、コンテンツデータとしてのディジタルデータは切換部５４を介して、コンテンツ記録部５５に供給される。
コンテンツ記録部５５は、エラー訂正符号化回路５６と変調回路５７と記録アンプ５８と記録用光学ヘッド５９からなる。記録用光学ヘッド５９は、図示しない送り機構によって記録用光ディスク６１の記録領域の最内周位置から最外周位置に亘って移動操作される。エラー訂正符号化回路５６は、切換部５４を介して供給されたコンテンツデータとしてのディジタルデータに対して、誤り訂正符号化処理を施す。変調回路５７は、符号化回路５６から供給されたデータに所定の変調方式にしたがって、例えば８ビットデータを１６チャンネルビットの変調データに変換して記録アンプ５８に出力する。変調回路５７からの出力データは、記録アンプ５８を介して記録用光学ヘッド５９に供給され、記録用光学ヘッド５９によってコンテンツデータとしてのディジタルデータが記録用光ディスク６１に記録される。
ＲＡＭ５３は、図示しない光ディスクから再生され供給されたＩＳＲＣデータとＵＩＤデータとを図４に示すフォーマットに基づいて１コンテンツ毎ＣＰＵ５２の制御の下で記憶する。ＣＰＵ５２は、マイクロコンピュータから構成され、ユーザにより指定されたコンテンツに関するＩＳＲＣデータと光ディスクのＵＩＤデータと前記図４に示したフォーマットに基づいて書き込まれているＲＡＭ５３から読み出し、４ビットのコピー個数を示すデータを確認し、既に所定個数コピーしたもの、記録動作を実行したものかどうかを判別する。
ここで、ユーザによって指定されたコンテンツがすでにコピー目的で所定個数記録されたものであれば、ＣＰＵ５２は切換部５４をオフにする。よって、コンテンツのディジタルデータはコンテンツ記録部５５には供給されない。このとき、ユーザには、記録装置５０に設けられた図示しない表示部二位コンテンツデータの記録、即ちコピーができない旨を知らせる表示が行われる。
一方、ＣＰＵ５２によるＲＡＭ５８から読み出したコピー個数を示すデータが、指定されたコンテンツが未だ所定個数コピーされていないこと判別されると、ＣＰＵ５２は切換部５４をオンにすると同時に、ＲＡＭ５３に記憶されているユーザによって指定されたコンテンツに対応するＵＩＤデータとＩＳＲＣデータの４ビットのコピー個数を示すデータを”１”だけカウントアップするように書き換える。よって、コンテンツ記録部５５は、切換部５４を介して供給されたコンテンツデータとしてのディジタルデータに前述した記録処理を施し、スピンドルモータ６０により、例えば線速度一定で回転されている記録用光ディスク６１にコンテンツデータとしてのディジタルデータを記録する。
したがって、図５に示したオーディオデータ記録装置５０は、記録しようとしているコンテンツデータのＩＳＲＣデータとＵＩＤデータのＲＡＭ５３上での記憶個数が、所定個数となったか否かをＣＰＵ５２で判断することにより、コンテンツデータとしてのディジタルデータの記録の可否が制御されるので、コンテンツデータのコピー個数と記録しようとするコンテンツデータを記録した光ディスクの枚数とによりコピー個数を決定することが可能となる。
なお、このオーディオデータ記録装置５０でも、ＵＩＤデータが異なれば、ＩＳＲＣデータが同じでも、記録しようとしているコンテンツデータは、別のものであるとして扱われる。この場合ＵＩＤデータのないコンテンツデータ、例えば現在市販されているコンパクトディスクから読み出されたコンテンツデータの場合、ＵＩＤデータをオール”０”として扱う。
上述した本発明では、本発明の趣旨を大きく逸脱しない範囲で種々の変形が可能である。上述した本発明では、記録又は出力されるコンテンツデータを識別するための識別情報としてＩＳＲＣを用いたが、コンテンツデータを他のコンテンツデータと識別できるものであればいずれでもよく、コンテンツデータ固有の識別情報であれば何でもよい。
また、上述した本発明では、コンテンツデータが記録される記録媒体として光ディスクを例に挙げて説明したが、記録媒体としては、ディスク状の記録媒体に限らず、半導体メモリを用いたメモリカードであってもよい。メモリカードの場合、ＵＩＤディスクは、電気的又は物理的に判読可能にメモリカードに設けられる。
産業上の利用可能性
上述したように、本発明は、コンテンツデータとともに少なくともコンテンツデータのコンテンツを識別する識別情報が記録された記録媒体から読み出されてコンテンツデータが出力されるたびにコンテンツデータとともに読み出された識別情報を保持し、保持された識別情報が所定の条件を満足するか否かによって記録媒体から読み出されたコンテンツデータの出力を制御するようにしているので、記録媒体に記録されたコンテンツデータの出力個数を制限でき、コンテンツデータがディジタルデータのまま記録機等の外部機器に無制限に供給されてしまうことを防止でき、不用意若しくは不正にコンテンツデータがコピーされてしまうことを確実に防止できる。
【図面の簡単な説明】
図１は、本発明の第１の実施の形態となるオーディオデータ再生装置の構成を示すブロック図である。
図２は、本発明の第２の実施の形態となるオーディオデータ再生装置の構成を示すブロック図である。
図３は、第２の実施の形態に用いられる光ディスクの記録領域を説明するための図である。
図４は、ＲＡＭに記憶される１コンテンツあたりのＵＩＤデータとＩＳＲＣデータのデータフォーマットを示すフォーマット図である。
図５は、本発明の第３の実施の形態となるオーディオデータ記録装置の構成を示すブロック図である。
【図１】
2002080172.tif 000003
【図２】
2002080172.tif 000004
【図３】
2002080172.tif 000005
【図４】
2002080172.tif 000006
【図５】
2002080172.tif 000007
【国際調査報告】
2002080172.tif 000008
2002080172.tif 000009
2002080172.tif 000010